(57)【要約】【課題】係員の負担軽減と移動体の出発遅延抑制を達成できるゲート抽選システムおよびゲート抽選プログラムを提供する。【解決手段】ユーザ情報を読取る読取手段と、該読取手段が読取ったユーザ情報および、ユーザ情報を読取った時点の時刻である読取時刻を、通信回線を介して送信する読取時刻送信手段とを有するゲート装置と、抽選対象の読取時刻である抽選対象読取時刻を記録する抽選対象読取時刻記録手段と、前記ゲート装置から受信した読取時刻、および該抽選対象読取時刻記録手段に記録された抽選対象読取時刻を対比して、前記読取時刻が前記抽選対象読取時刻より前の時刻もしくは同一時刻である場合、同ユーザが抽選対象であると判定する判定手段と、該判定手段で抽選対象であると判定されたユーザの中から、特典を付与するか否かを決める抽選処理手段とを有する管理サーバとを備えるゲート抽選システム。【選択図】図１
2013114347.tif 000002
【特許請求の範囲】
【請求項１】
ユーザ情報を読取る読取手段と、該読取手段が読取ったユーザ情報および、ユーザ情報を読取った時点の時刻である読取時刻を、通信回線を介して送信する読取時刻送信手段とを有するゲート装置と、
抽選対象の読取時刻である抽選対象読取時刻を記録する抽選対象読取時刻記録手段と、前記ゲート装置から受信した読取時刻、および該抽選対象読取時刻記録手段に記録された抽選対象読取時刻を対比して、前記読取時刻が前記抽選対象読取時刻より前の時刻もしくは同一時刻である場合、同ユーザが抽選対象であると判定する判定手段と、該判定手段で抽選対象であると判定されたユーザの中から、特典を付与するか否かを決める抽選処理手段とを有する管理サーバとを備える
ゲート抽選システム。
【請求項２】
前記管理サーバは、抽選対象の種別である抽選対象種別を記録する抽選対象種別記録手段を有し、
前記特典は、該抽選対象種別記録手段に記録された抽選対象種別に対応するものである
請求項１に記載のゲート抽選システム。
【請求項３】
前記管理サーバは、前記抽選処理手段で特典を付与すると決められたユーザに対して特典を付与する特典付与手段を有する
請求項１または請求項２に記載のゲート抽選システム。
【請求項４】
前記管理サーバは、特典を記録する特典記録手段を有し、
前記特典付与手段が付与する特典は、該特典記録手段に記録された特典からユーザが選択したものである
請求項３に記載のゲート抽選システム。
【請求項５】
前記管理サーバは、ユーザの連絡先情報を記録するユーザ情報記録手段と、
前記抽選処理手段で特典を付与すると決められたユーザのユーザ端末へ、前記ユーザ情報記録手段に記録されたユーザの連絡先情報に基づいて、特典が付与されることを通知する通知手段とを有する
請求項１〜４のいずれか１つに記載のゲート抽選システム。
【請求項６】
電子計算機に、
ゲート装置が読取ったユーザ情報および、ユーザ情報を読取った時点の時刻である読取時刻を、同ゲート装置から通信回線を介して受信する読取時刻受信機能と、
抽選対象の読取時刻である抽選対象読取時刻を記録する抽選対象読取時刻記録機能と、
前記ゲート装置から受信した読取時刻、および該抽選対象読取時刻記録機能で記録された抽選対象読取時刻を対比して、前記読取時刻が前記抽選対象読取時刻より前の時刻もしくは同一時刻である場合、同ユーザが抽選対象であると判定する判定機能と、
該判定機能で抽選対象であると判定されたユーザの中から、特典を付与するか否かを決める抽選処理機能とを付与する
前記電子計算機にインストールされるゲート抽選プログラム。
【発明の詳細な説明】
【技術分野】
【０００１】
本発明はゲート抽選システムおよびゲート抽選プログラムに関する。詳しくは、例えば、ユーザに対して空港の搭乗ゲート装置を通過することに関心を持たせる、ゲート抽選システムおよびゲート抽選プログラムに係るものである。
【背景技術】
【０００２】
飛行機の搭乗予定者が、搭乗終了時刻までに搭乗ゲート装置を通過しない場合、空港施設内の放送によって、搭乗予定者を呼び出したり、航空会社の係員が空港施設内を捜し回ったりしている。
【０００３】
しかし、空港施設内は広いので、捜し出すまでに時間がかかる。
また、長時間捜し回っても搭乗予定者を見つけ出せない場合は、すでに飛行機に積み込んだ荷物から、この搭乗予定者の荷物を探し出して飛行機から下ろす作業が必要となる。
【０００４】
従って、出発遅延や係員の作業負担の増大を招いている。また、１日に複数回の出発を行なう空港では、１回の出発遅延は、その後の出発遅延につながってしまう。
【０００５】
そこで、例えば特許文献１には、搭乗券に無線タグを付しておき、無線タグと空港施設内に設けられた複数のアンテナとの通信結果から、その搭乗券を持つ搭乗予定者が空港内の何処をどう移動したか、または移動しなかったかを容易に知ることができ、捜索対象の搭乗予定者の居場所を限定し、捜索時間を短縮することができる空港内旅客捜索装置が記載されている。
【先行技術文献】
【特許文献】
【０００６】
【特許文献１】特開２００２−１８３２６１号公報
【発明の概要】
【発明が解決しようとする課題】
【０００７】
しかしながら、特許文献１に記載の装置を使用しても、搭乗予定者の居場所がある程度特定できるので捜索時間は短縮できるが、係員が空港施設内を捜し回る点は変わらず、係員の負担軽減や出発遅延抑制の点では不充分であった。
【０００８】
本発明は、以上の点に鑑みて創案されたものであり、係員の負担軽減と移動体の出発遅延抑制を達成できるゲート抽選システムおよびゲート抽選プログラムを提供することを目的とする。
【課題を解決するための手段】
【０００９】
上記の目的を達成するために、本発明のゲート抽選システムは、ユーザ情報を読取る読取手段と、該読取手段が読取ったユーザ情報および、ユーザ情報を読取った時点の時刻である読取時刻を、通信回線を介して送信する読取時刻送信手段とを有するゲート装置と、抽選対象の読取時刻である抽選対象読取時刻を記録する抽選対象読取時刻記録手段と、前記ゲート装置から受信した読取時刻、および該抽選対象読取時刻記録手段に記録された抽選対象読取時刻を対比して、前記読取時刻が前記抽選対象読取時刻より前の時刻もしくは同一時刻である場合、同ユーザが抽選対象であると判定する判定手段と、該判定手段で抽選対象であると判定されたユーザの中から、特典を付与するか否かを決める抽選処理手段とを有する管理サーバとを備える。
【００１０】
また、上記の目的を達成するために、本発明のゲート抽選プログラムは、電子計算機に、ゲート装置が読取ったユーザ情報および、ユーザ情報を読取った時点の時刻である読取時刻を、同ゲート装置から通信回線を介して受信する読取時刻受信機能と、抽選対象の読取時刻である抽選対象読取時刻を記録する抽選対象読取時刻記録機能と、前記ゲート装置から受信した読取時刻、および該抽選対象読取時刻記録機能で記録された抽選対象読取時刻を対比して、前記読取時刻が前記抽選対象読取時刻より前の時刻もしくは同一時刻である場合、同ユーザが抽選対象であると判定する判定機能と、該判定機能で抽選対象であると判定されたユーザの中から、特典を付与するか否かを決める抽選処理機能とを付与する、前記電子計算機にインストールされるものである。
【００１１】
ここで、抽選対象であると判定されたユーザの中から、特典を付与するか否かを決めるので、ユーザは特典に魅力を感じ、特典を得るために自発的に、ゲート装置において手続を行なう時間を早めようという意識を持つようになる。
【００１２】
また、本発明のゲート抽選システムにおいて、管理サーバは、抽選対象の種別である抽選対象種別を記録する抽選対象種別記録手段を有し、特典は、抽選対象種別記録手段に記録された抽選対象種別に対応するものであるものであるとすることができる。
【００１３】
この場合、例えば、航空路線ごとに特典を設定できるので、特典をご当地賞品にすれば、航空路線との関係性が深くなり、抽選により一層の魅力を与えることができる。
【００１４】
また、本発明のゲート抽選システムにおいて、管理サーバは、抽選処理手段で特典を付与すると決められたユーザに対して特典を付与する特典付与手段を有するものとすることができる。
【００１５】
また、本発明のゲート抽選システムにおいて、管理サーバは、特典を記録する特典記録手段を有し、特典付与手段が付与する特典は、特典記録手段に記録された特典からユーザが選択したものであるものとすることができる。
【００１６】
また、本発明のゲート抽選システムにおいて、管理サーバは、ユーザの連絡先情報を記録するユーザ情報記録手段と、抽選処理手段で特典を付与すると決められたユーザのユーザ端末へ、ユーザ情報記録手段に記録されたユーザの連絡先情報に基づいて、特典が付与されることを通知する通知手段とを有するものとすることができる。
【００１７】
この場合、特典の受取方法などを具体的に当選ユーザへ連絡することができる。
【発明の効果】
【００１８】
本発明に係るゲート抽選システムは、係員の負担軽減と移動体の出発遅延抑制を達成できる。
本発明に係るゲート抽選プログラムは、係員の負担軽減と移動体の出発遅延抑制を達成できる。
【図面の簡単な説明】
【００１９】
【図１】本発明のゲート抽選システムの構成の一例を示す概略図である。
【図２】本発明のゲート抽選システムの流れの一例を示す概略図である。
【発明を実施するための形態】
【００２０】
以下、本発明の実施の形態について図面を参照しながら説明し、本発明の理解に供する。
図１は、本発明のゲート抽選システムの構成の一例を示す概略図である。
【００２１】
図１において、本発明のゲート抽選システム１は、空港の搭乗口に設置された搭乗ゲート装置（ゲート装置の一例である。）２と、搭乗ゲート装置２とインターネット（通信回線の一例である。）１５を介して通信可能な管理サーバ３と、管理サーバ３とインターネット１５を介して通信可能なスマートフォンなどのユーザ端末１６とを備える。
【００２２】
また、搭乗ゲート装置２は、ユーザが搭乗チケット６を搭乗ゲート装置２に挿入したり、ユーザ端末１６を搭乗ゲート装置２にかざしたりしたときに、搭乗チケット６もしくはユーザ端末１６からユーザ情報（氏名、ＩＤ、搭乗予定の航空便名など）を読取る読取手段４を有する。
【００２３】
また、搭乗ゲート装置２は、読取手段４が読取ったユーザ情報および、ユーザ情報を読取った時点の時刻である読取時刻を、インターネット１５を介して送信する読取時刻送信手段５を有する。
【００２４】
また、管理サーバ３は、抽選対象の読取時刻である抽選対象読取時刻（例えば、出発時刻の４０分前の時刻）を記録する抽選対象読取時刻データベース（抽選対象読取時刻記録手段の一例である。）７を有する。
【００２５】
また、管理サーバ３は、搭乗ゲート装置２から受信した読取時刻、および抽選対象読取時刻データベース７に記録された抽選対象読取時刻を対比して、読取時刻が抽選対象読取時刻より前の時刻もしくは同一時刻である場合、このユーザが抽選対象であると判定する判定手段８を有する。
【００２６】
また、管理サーバ３は、判定手段８で抽選対象であると判定されたユーザの中から、特典を付与するか否かを決める抽選処理手段９を有する。
【００２７】
また、管理サーバ３は、抽選処理手段９で特典を付与すると決められたユーザ（当選ユーザ）に対して特典を付与する特典付与手段１０を有する。
ここで、「特典を付与する」とは、具体的には例えば、管理サーバ３が、当選ユーザに対応させて特典情報を記録したり、実際に商品などを当選ユーザに贈ったりすることが挙げられる。
【００２８】
また、管理サーバ３は、抽選対象の種別である抽選対象種別（例えば、航空路線ごと、車両ごと）を記録する抽選対象種別データベース（抽選対象種別記録手段の一例である。）１１を有する。
また、特典は、抽選対象種別データベース１１に記録された抽選対象種別に対応するものである。
【００２９】
例えば、那覇−千歳間では、沖縄や北海道にゆかりのあるご当地賞品を特典とし、那覇−伊丹間については、沖縄や関西にゆかりのあるご当地賞品を特典とすることができる。
また、例えば同じ那覇−千歳間でも、○○航空の便と、△□航空の便とで、異なる特典を設定することもできる。
【００３０】
また、管理サーバ３は、特典を記録する特典データベース（特典記録手段の一例である。）１２を有する。
また、特典付与手段１０が付与する特典は、特典データベース１２に記録された特典からユーザが選択したものである。
【００３１】
また、管理サーバ３は、ユーザの連絡先情報（例えば、電子メールアドレス）を記録するユーザ情報データベース（ユーザ情報記録手段の一例である。）１３を有する。
【００３２】
また、管理サーバ３は、抽選処理手段９で特典を付与すると決められたユーザのユーザ端末１６へ、ユーザ情報データベース１３に記録されたユーザの連絡先情報（例えば、電子メールアドレス）に基づいて、特典が付与されることを例えば電子メールで通知する通知手段１４を有する。
【００３３】
従って例えば、電子メールで当選ユーザに通知し、この通知に基づいて、ご当地賞品などの特典を贈ることもできる。
【００３４】
図２は、本発明のゲート抽選システムの流れの一例を示す概略図である。
本発明のゲート抽選システムに会員登録したユーザが、搭乗ゲート装置２に搭乗チケット６を挿入したり、搭乗ゲート装置２にユーザ端末１６をかざしたりして、搭乗ゲート装置２が、搭乗チケット６もしくはユーザ端末１６からユーザ情報を読取る（ステップＳ１）。
【００３５】
次に、搭乗ゲート装置２が、ユーザ情報を読取った時刻（読取時刻）とユーザ情報とを管理サーバ３へ送信し、管理サーバ３は、読取時刻と、抽選対象読取時刻データベース７に記録された抽選対象読取時刻（例えば、搭乗予定の航空便の出発時刻の４０分前の時刻）を対比して、読取時刻が抽選対象読取時刻より前の時刻かもしくは同一時刻かを判定する（ステップＳ２）。
【００３６】
例えば、ユーザが搭乗する予定の航空便の出発時刻が午前１０時であり、読取時刻が午前９時２０分（抽選対象読取時刻）より前の時刻かもしくは同一時刻例えば読取時刻が午前９時１８分であれば、管理サーバ３は、このユーザが抽選対象であると判定する（ステップＳ３）。
一方、読取時刻が例えば午前９時３５分であれば、このユーザは抽選対象から外れる。
【００３７】
次に、管理サーバ３は、抽選対象であると判定されたユーザの中から、特典を付与するか否かを決める抽選処理を行ない（ステップＳ４）、当選ユーザを確定させる（ステップＳ５）。
【００３８】
そして、当選ユーザのユーザ端末１６へ、特典が付与されることを電子メールで連絡する（ステップＳ６）。
その後、特典が当選ユーザへ贈られるが、当選ユーザは、当選後に特典データベース１２に記録された特典から、好きな特典を選択できる。
【００３９】
ここで、本発明のゲート抽選システムが、ユーザ情報を読取る読取手段と、読取手段が読取ったユーザ情報および、ユーザ情報を読取った時点の時刻である読取時刻を、通信回線を介して送信する読取時刻送信手段とを有するゲート装置と、抽選対象の読取時刻である抽選対象読取時刻を記録する抽選対象読取時刻記録手段と、ゲート装置から受信した読取時刻、および抽選対象読取時刻記録手段に記録された抽選対象読取時刻を対比して、読取時刻が抽選対象読取時刻より前の時刻もしくは同一時刻である場合、ユーザが抽選対象であると判定する判定手段と、判定手段で抽選対象であると判定されたユーザの中から、特典を付与するか否かを決める抽選処理手段とを有する管理サーバとを備えるのであれば、必ずしも抽選対象種別を設けて、特典を抽選対象種別に対応させなくてもよい。
【００４０】
しかし、抽選対象種別を設けて、特典を抽選対象種別に対応させていれば、航空路線ごとに特典を設定できるので、特典をご当地賞品にすれば、航空路線との関係性が深くなり、抽選により一層の魅力を与えることができるので、好ましい。
【００４１】
また、本発明のゲート抽選システムが、ユーザ情報を読取る読取手段と、読取手段が読取ったユーザ情報および、ユーザ情報を読取った時点の時刻である読取時刻を、通信回線を介して送信する読取時刻送信手段とを有するゲート装置と、抽選対象の読取時刻である抽選対象読取時刻を記録する抽選対象読取時刻記録手段と、ゲート装置から受信した読取時刻、および抽選対象読取時刻記録手段に記録された抽選対象読取時刻を対比して、読取時刻が抽選対象読取時刻より前の時刻もしくは同一時刻である場合、ユーザが抽選対象であると判定する判定手段と、判定手段で抽選対象であると判定されたユーザの中から、特典を付与するか否かを決める抽選処理手段とを有する管理サーバとを備えるのであれば、管理サーバは、必ずしも通知手段を有していなくてもよい。
【００４２】
しかし、通知手段があれば、特典の受取方法などを具体的に当選ユーザへ連絡することができるので好ましい。
【００４３】
また、航空機の搭乗の場合を例に挙げて説明したが、必ずしもこの例に限定されるものではなく、例えば、新幹線の乗車の場合でも、本発明のゲート抽選システムを適用できることは勿論である。
【００４４】
以上のように、本発明のゲート抽選システムは、搭乗予定の航空便の出発時刻の４０分前の時刻までに、搭乗ゲート装置がユーザ情報を読取る即ち、ユーザが搭乗チケットを搭乗ゲート装置に挿入するなどすれば、そのユーザは抽選対象となり、特典を付与するか否かが決められるので、ユーザは特典に魅力を感じ、特典を得るために自発的に、ゲート装置において手続を行なう時間を早めようという意識を持つようになる。
【００４５】
従って、航空会社の係員は、搭乗予定者を捜し回るという手間が軽減され、出発前に搭乗予定者を待つ時間や回数も減り、係員の負担軽減と移動体の出発遅延抑制を達成できる。
【００４６】
また、航空路線ごとに特典を設定できるので、特典をご当地賞品にすれば、航空路線との関係性が深くなり、抽選により一層の魅力を与えることができる。
【００４７】
また、本発明のゲート抽選プログラムも、電子計算機にインストールされて、本発明のゲート抽選システムを実現させることができる。
【符号の説明】
【００４８】
１    ゲート抽選システム
２    搭乗ゲート装置
３    管理サーバ
４    読取手段
５    読取時刻送信手段
６    搭乗チケット
７    抽選対象読取時刻データベース
８    判定手段
９    抽選処理手段
１０    特典付与手段
１１    抽選対象種別データベース
１２    特典データベース
１３    ユーザ情報データベース
１４    通知手段
１５    インターネット
１６    ユーザ端末
【図１】
2013114347.tif 000003
【図２】
2013114347.tif 000004